(57)【特許請求の範囲】
【請求項１】
監視センタが接続されるＩＳＤＮ交換機からのＩＳＤＮ加入者線にＵ点インタフェースで接続されるＤＳＵ部と、
下位のデジタル回線接続装置にＵ点インタフェースで接続されるＯＣＵ部と、
前記ＤＳＵ部および前記ＯＣＵ部を制御する制御部と、
前記制御部内に設けられ、下位のデジタル回線接続装置に対してループチェックを行うことができる試験装置部とを有するＩＳＤＮ回線接続装置であって、
前記制御部は、監視センタからＩＳＤＮ回線を介してＤＳＵ部にて受信した呼設定メッセージ内のＵＵＩ部より識別したループチェック起動の制御信号に基づき、前記試験装置部に対してループチェック起動制御をかけ、
起動制御を受けた試験装置部は前記ＯＣＵ部から下位のデジタル回線接続装置に対して、ループチェック起動信号を送出してループ状態をつくり、前記試験装置部は前記下位のデジタル回線接続装置に対して特殊なビット配列信号（ビットパターン）を送信するとともに、前記下位のデジタル回線接続装置から当該特殊なビット配列信号の折り返し信号を受信し、前記下位のデジタル回線接続装置に送信したビットパターンと受信したビットパターンを比較してループチェックを判断し、
前記制御部は前記試験装置部にて判断したループチェック結果を所定の制御信号に変換し、切断メッセージ内のＵＵＩ部に付与して前記ＤＳＵ部から前記監視センタに送信することにより、ＩＳＤＮ回線接続装置から下位のデジタル回線接続装置間の伝送路のループチェックを可能とするＩＳＤＮ回線接続装置。
【発明の詳細な説明】
【０００１】
【発明の属する技術分野】
本発明はＩＳＤＮ交換機と下位のデジタル回線接続装置間にＩＳＤＮ回線接続装置を設け、このＩＳＤＮ回線接続装置により下位のデジタル回線接続装置に対してループチェックを可能とするＩＳＤＮ回線接続装置に関する。
【０００２】
【従来の技術】
従来、デジタル回線接続装置はＩＳＤＮ交換機のＩＳＤＮ加入者線に１台のみ接続され、ＩＳＤＮサービスが提供されていた。しかして、デジタル回線接続装置の正常性およびＩＳＤＮ交換機からデジタル回線接続装置までの伝送路のチェックを行う場合には、デジタル回線接続装置が具備している折り返し機能によりデジタル回線接続装置のＴ点に近いポイントにてループ状態をつくり、第一種通信事業者によりループバック試験がなされていた。第一種通信事業者によるループバック試験について図３を参照して以下に説明する。
【０００３】
図３において、３１はＩＳＤＮ交換機であり、局内回線終端ユニット（ＯＣＵ）を有するＩ型加入者線端局装置（ＩＳＬＴ）３１ａ、基本インタフェース信号装置（ＩＳＥＢ）３１ｂ、及び通話路装置（ＩＮＥ）３１ｃより構成される。第一種通信事業者３２の試験台３２ａよりＩＳＤＮ交換機３１に対してループバック試験を行うことを指示し、ＩＳＤＮ交換機３１よりデジタル回線接続装置３３にループバック試験を要求する信号（ループバック２指示信号：ＳＩＧ９）を通知する。次にデジタル回線接続装置３３は、ループバック起動要求を受信すると応答信号（ループバック２起動中表示信号：ＳＩＧ１２）をＩＳＤＮ交換機３１に通知する。次に、デジタル回線接続装置３３は具備している折り返し機能によりＩＳＤＮ交換機３１との間にループ試験用のループをつくり、デジタル回線接続装置３３がループバック中であることを示す信号（ループバック２動作信号：ＳＩＧ１０）をＩＳＤＮ交換機３１に通知する。
【０００４】
次に、試験装置３２ｂは、特殊なビット配列信号（ビットパターン）をデジタル回線接続装置３３に対してループバック試験用のループを介して送出する。デジタル回線接続装置３３で折り返された同じ特殊なビット配列信号が再び試験装置３２ｂにもどってきて、この送受信の特殊なビット配列信号を照合し、一致した場合、デジタル回線接続装置３３およびＩＳＤＮ交換機３１とデジタル回線接続装置３３との伝送路の正常性を確認することができる。不一致の場合、それらに何らかの不具合があると判断し、デジタル回線接続装置３３やＩＳＤＮ交換機３１とデジタル回線接続装置３３との伝送路の調整を行うこととなる。
【０００５】
ＩＳＤＮ回線を利用した宅内設備の管理・保守システム（例えば、警備システムや検針システム）などにおいては、その宅内における通信システムに何ら影響を与えることなく、または影響を受けないことが望まれている。
【０００６】
このため、ＩＳＤＮ交換機と既存のデジタル回線接続装置との間のＩＳＤＮ加入者線に、ＩＳＤＮ回線接続装置を挿入接続した通信システムが提案されている。即ち、ＩＳＤＮ回線接続装置は、ＩＳＤＮ交換機および既存のデジタル回線接続装置とはＵ点接続し、宅内設備の管理・保守システムとはＳ／Ｔ点接続し、宅内設備の管理・保守システムとその他の宅内通信システムとを分離しようとするものである。
【０００７】
【発明が解決しようとする課題】
このようなＩＳＤＮ回線接続装置を用いた通信システムにおいて、第一種通信事業者が行えるループバック試験は、ＩＳＤＮ回線接続装置までの試験となる。
【０００８】
つまり、今後のＩＳＤＮの普及を支えるであろうＩＳＤＮ回線接続装置があった場合、故障時の保守性や第一種通信事業者などとの責任の分界点などを考慮し、下位のデジタル回線接続装置およびＩＳＤＮ回線接続装置から下位のデジタル回線接続装置間の伝送路までの正常性を確認できる仕組みが必要となる。
【０００９】
本発明は上記の事情に鑑みてなされたもので、ＩＳＤＮ回線接続装置を用いた通信システムにおいて、下位のデジタル回線接続装置およびＩＳＤＮ回線接続装置から下位のデジタル回線接続装置間の伝送路の正常性を確認できるループチェックを可能にすることを目的とする。
【００１０】
【課題を解決するための手段】
上記目的を達成するために本発明のＩＳＤＮ回線接続装置は、ＩＳＤＮ交換機からのＩＳＤＮ加入者線にＵ点インタフェースで接続されるＤＳＵ部と、下位のデジタル回線接続装置にＵ点インタフェースで接続されるＯＣＵ部と、前記ＤＳＵ部及び前記ＯＣＵ部を制御する制御部とを具備し、ＯＣＵ部から下位のデジタル回線接続装置に対して、ループチェック要求信号を送出し、その後特定信号を送出させるとともに、前記下位のデジタル回線接続装置から当該特定信号の折り返し信号を受信することによりＩＳＤＮ回線接続装置から下位のデジタル回線接続装置へのループチェックを可能にすることを特徴とするものである。
なお、ループチェックを行うための特殊なビット配列信号（ビットパターン）の発生や伝送路の正常性の判断は、監視センタでも行なってもよいし、本ＩＳＤＮ回線接続装置にて行なってもよい。
【００１１】
また本発明は、前記ＩＳＤＮ回線接続装置において、監視センタからＩＳＤＮ回線を介してループチェック起動信号を制御部へ送出し、制御部の試験装置部から下位のデジタル回線接続装置に対してループチェックを行うことを特徴とするものである。これにより、監視センタより第一種通信事業者以外によるループチェックが可能となり、保守性の向上および責任の分界点が明確化される。
【００１２】
また本発明は、前記ＩＳＤＮ回線接続装置において、ループチェック開始用の操作部とループチェック結果を表示する表示部とを更に有し、ＩＳＤＮ回線接続装置設置場所において、該操作部の操作により、制御部の試験装置部から下位のデジタル回線接続装置に対してループチェックを行い、その結果を前記表示部に表示することを特徴とするものである。これにより、下位のデジタル回線接続装置およびＩＳＤＮ回線接続装置から下位のデジタル回線接続装置間の伝送路の正常性をその場で確認ができ、迅速な故障の切り分けや回復確認、責任の分界点の明確化などが可能となる。
【００１３】
前記操作部および前記表示部は、通信機器端末として、また、通信機器端末の一部としてＩＳＤＮ回線接続装置への外付け接続が可能となる。
【００１４】
【発明の実施の形態】
以下図面を参照して本発明の実施の形態例を詳細に説明する。
【００１５】
図１は本発明の一実施形態例に係る監視センタからのループチェックを示す構成説明図であり、図２は図１のＩＳＤＮ回線接続装置においてループチェックを示すシーケンス図である。
【００１６】
すなわち、例えば監視センタ１０はＩＳＤＮ交換機１１に接続される。このＩＳＤＮ交換機１１からのＩＳＤＮ加入者線１２にはＩＳＤＮ回線接続装置１８内のＤＳＵ部１３がＵ点インタフェースで接続される。また、下位のデジタル回線接続装置１４にはＩＳＤＮ回線接続装置１８内のＯＣＵ部１５がＵ点インタェースで接続される。前記ＤＳＵ部１３及び前記ＯＣＵ部１５は制御部１６により制御される。前記制御部１６内には下位のデジタル回線接続装置１４に対してループチェックを行うことができる試験装置部１７が設けられる。前記ＤＳＵ部１３、前記ＯＣＵ部１５、前記制御部１６よりＩＳＤＮ回線接続装置１８が構成される。前記ＩＳＤＮ回線接続装置１８には、例えばデジタル電話機や警備端末装置等の通信機器端末１９を接続することができる。
【００１７】
次に、ループ試験について説明する。
【００１８】
ＩＳＤＮ交換機１１に接続される例えば監視センタ１０からループチェック起動信号を、ＩＳＤＮ加入者線１２を介してＩＳＤＮ回線接続装置１８内の制御部１６へ送出するために、監視センタ１０は、呼設定メッセージ内のＵＵＩ（ユーザ・ユーザ情報）部にループチェック起動の制御信号を付与して発呼する。ＩＳＤＮ交換機１１は発呼を受付るとＩＳＤＮ回線接続装置１８に対して呼設定メッセージを送信して着信起動を行う。この時、呼設定メッセージ内のＵＵＩ部にループチェック起動の制御信号が付与される。ＩＳＤＮ回線接続装置１８内の制御部１６は、受信した呼設定メッセージ内のＵＵＩ部よりループチェック起動の制御信号を識別し、ＩＳＤＮ交換機１１側へは呼設定受付メッセージを送信すると同時に試験装置部１７に対してループチェック起動制御をかける。起動制御を受けた試験装置部１７は、ＯＣＵ部１５を介して下位のデジタル回線接続装置１４に対してループチェック起動信号を送出する。すなわち、試験装置部１７からの指示によりＯＣＵ部１５を介して、下位のデジタル回線接続装置１４の具備している折り返し機能によりデジタル回線接続装置１４のＴ点に近いポイントにてループ状態をつくる。
【００１９】
次に、試験装置部１７は、下位のデジタル回線接続装置１４に対して特殊なビット配列信号（ビットパターン）を送信する。デジタル回線接続装置１４では、受信したビットパターンを内部に設定した折り返しポイントで送信側に折り返し、再び試験装置部１７へ送信する。試験装置部１７では、デジタル回線接続装置１４に送信したビットパターンと受信したビットパターンを比較し、これらが一致した場合には、下位のデジタル回線接続装置およびＩＳＤＮ回線接続装置から下位のデジタル回線接続装置間の伝送路を正常と判断し、不一致の場合には異常と判断する。
【００２０】
次に、制御部１６は、試験装置部１７にて判断したループチェック結果を所定の制御信号に変換し、切断メッセージ内のＵＵＩ部に付与して、ＩＳＤＮ交換機１１へ送信する。切断メッセージを受信したＩＳＤＮ交換機１１は、ＩＳＤＮ回線接続装置１８に対して開放メッセージを送信すると同時に監視センタ１０に対して切断メッセージを送信して切断処理に入る。ＩＳＤＮ回線接続装置１８は開放メッセージを受信後、開放完了メッセージを送信して切断処理を完了する。監視センタ１０では、開放完了メッセージを送信して切断処理を完了すると同時に、ＩＳＤＮ交換機１１より受信した切断メッセージ内のＵＵＩ部に付与された所定の制御信号よりループチェック結果を判断する。
【００２１】
なお、監視センタ１０からＩＳＤＮ回線接続装置１８内の試験装置部１７を起動させる制御信号は、前記試験装置部１７を起動できる制御信号であれば特定しないこととする。
【００２２】
また、本実施形態例では、ＩＳＤＮ回線接続装置１８にて特殊なビット配列信号（ビットパターン）を記憶あるいは成生してデジタル回線接続装置１４に送出し、デジタル回線接続装置１４にて折り返された当該ビットパターンに基づいて、ループチェックの判断をするようにしたが、監視センタ１０がビットパターンの発生送出、ループチェックの判断を行なうようにしてもよい。即ち、監視センタ１０からビットパターンを送出し、ＩＳＤＮ回線接続装置１８を介してデジタル回線接続装置１４で折り返したビットパターンを監視センタ１０で判断することもできる。
【００２３】
また、本実施の形態では、監視センタ１０からのループチェックについて説明したが、これに限られるものではない。即ち、ＩＳＤＮ回線接続装置にループチェック開始用の操作部を設け、当該操作部の操作信号に基づきループチェックを開始するようにしてもよい。この場合、ループチェックの結果を表示する表示部をＩＳＤＮ回線接続装置に設け、表示させる。表示は、ＬＥＤ・ランプ・ブザー・ＬＣＤなどのようなものでもよい。更に、操作部および表示部を通信機器端末１９に設けておいてもよい。
【００２４】
【発明の効果】
以上述べたように本発明によれば、ＤＳＵ部を有するＩＳＤＮ回線接続装置が設置されているＩＳＤＮ加入者線において、監視センタからのＩＳＤＮ回線接続装置への制御もしくはＩＳＤＮ回線接続装置の操作により、ＩＳＤＮ回線接続装置で下位のデジタル回線接続装置に対してループチェックを起動し、下位のデジタル回線接続装置およびＩＳＤＮ回線接続装置から下位のデジタル回線接続装置間の伝送路の正常性を確認できるＩＳＤＮ回線接続装置を提供することができる。
【図面の簡単な説明】
【図１】本発明の一実施形態例を示す構成説明図である。
【図２】図１のループチェックのシーケンスを示す説明図である。
【図３】従来のループバック試験を示す構成説明図である。
【符号の説明】
１０  監視センタ
１１  ＩＳＤＮ交換機
１２  ＩＳＤＮ加入者線
１３  ＤＳＵ部
１４  下位のデジタル回線接続装置
１５  ＯＣＵ部
１６  制御部
１７  試験装置部
１８  ＩＳＤＮ回線接続装置
１９  通信機器端末
【図１】
0003853996.tif 000002
【図２】
0003853996.tif 000003
【図３】
0003853996.tif 000004